(57)【要約】【課題】プレゼンテーションユニットを備えた共用会議室を複数有する大企業もある。しかし、複数の会議がバッティングしてしまい、会議したいときに共用会議室の確保ができない場合がある。また、行いたい会議の内容や参加者によって共用会議室が広すぎたり、占有せねばならないほどの機密性も必要がなかったりで、共用会議室が勿体ない場合もある。機密性や広さがさほど必要のない会議でフレキシブルに利用できるスペースやそれに合わせたパーティションシステムのニーズが生まれている。【解決手段】第１のスクリーンと、前記第１のスクリーンを垂直軸線まわりに回動可能に支持する支柱と、前記垂直軸線まわりに回動可能に前記支柱に支持される第２のスクリーンと、を備えるパーティションシステム。【選択図】図５
2018084045.tif 000002
【特許請求の範囲】
【請求項１】
第１のスクリーンと、
前記第１のスクリーンを垂直軸線まわりに回動可能に支持する支柱と、
前記垂直軸線まわりに回動可能に前記支柱に支持される第２のスクリーンと、
を備えるパーティションシステム。
【請求項２】
前記垂直軸線まわりに回動可能に前記支柱に支持される第３のスクリーンをさらに備える請求項１のパーティションシステム。
【請求項３】
前記垂直軸線を中心線とする円輪状のリングディスプレイを更に備える請求項２のパーティションシステム。
【請求項４】
前記リングディスプレイが、前記第１のスクリーンを撮像するカメラを備える、請求項３のパーティションシステム。
【請求項５】
前記リングディスプレイが、前記第１のスクリーンに画像を投影するプロジェクタを備える、請求項４のパーティションシステム。
【発明の詳細な説明】
【技術分野】
【０００１】
本発明の実施形態は、パーティションシステムに関する。
【背景技術】
【０００２】
例えば特許文献１のように、会議室内に設置されるプレゼンテーションユニットについて述べた技術が多数ある。
【先行技術文献】
【特許文献】
【０００３】
【特許文献１】特表2010-507836号公報
【発明の概要】
【発明が解決しようとする課題】
【０００４】
特許文献１のようなプレゼンテーションユニットを備えた共用会議室を複数有する大企業もある。しかし、複数の会議がバッティングしてしまい、会議したいときに共用会議室の確保ができない場合がある。また、行いたい会議の内容や参加者によって共用会議室が広すぎたり、占有せねばならないほどの機密性も必要がなかったりで、共用会議室が勿体ない場合もある。機密性や広さがさほど必要のない会議でフレキシブルに利用できるスペースやそれに合わせたパーティションシステムのニーズが生まれている。
【課題を解決するための手段】
【０００５】
一実施形態において、パーティションシステムは、第１のスクリーンと、
前記第１のスクリーンを垂直軸線まわりに回動可能に支持する支柱と、
前記垂直軸線まわりに回動可能に前記支柱に支持される第２のスクリーンと、
を備える。
【図面の簡単な説明】
【０００６】
【図１】実施形態のパーティションシステムの外観図。
【図２】実施形態のパーティションシステムの正面図。
【図３】実施形態のパーティションシステムの上面図。
【図４】実施形態のパーティションシステムのシステムブロック図。
【図５】実施形態のパーティションシステムの使用態様の一例を示す図。
【図６】変形例のパーティションシステムのシステムブロック図。
【図７】他の変形例のパーティションシステムのシステムブロック図。
【発明を実施するための形態】
【０００７】
以下、室内に設置されるパーティションシステムの実施形態について、図面を用いて説明する。
【０００８】
図１は、実施形態としてのパーティションシステム５００の外観図である。
【０００９】
パーティションシステム５００は、リングユニット１００、支柱１０１、リングディスプレイ１０４、プロジェクタ１０５、カメラ１０６、スクリーンＡ２０１、スクリーンＢ２０２、スクリーンＣ２０３、回転支柱２１０、脚板２２０を備える。
【００１０】
図２は、実施形態としてのパーティションシステム５００の正面図である。
【００１１】
図３は、実施形態としてのパーティションシステム５００の上面図である。
【００１２】
支柱３本で室内天井６２１から吊り下げ支持されるリングユニット１００は、円輪状に形成され、円輪外周に情報を表示するリングディスプレイ１０４、円輪内周にプロジェクタ１０５とカメラ１０６を備える。
【００１３】
室内天井６２１と室内床６２２とに支持される回転支柱２１０は、回転支柱２１０まわりで回動可能にスクリーンＡ２０１の一側端とスクリーンＢ２０２の一側端とスクリーンＣ２０３の一側端とを支持する。
【００１４】
脚板２２０が回転支柱２１０と室内床６２２とが繋がる部分を隠す。
【００１５】
スクリーンＡ２０１は、おもて面２０１１と、うら面２０１２と、を有する。
【００１６】
スクリーンＢ２０２は、おもて面２０２１と、うら面２０２２と、を有する。
【００１７】
スクリーンＣ２０３は、おもて面２０３１と、うら面２０３２と、を有する。
【００１８】
スクリーンＡ２０１、スクリーンＢ２０２、スクリーンＣ２０３の各面は、いわゆるホワイトボードマーカーで手書きしたり拭い消したりすることができるよう表面処理を施したものである。
【００１９】
上方からみるとリングユニット１００が形成する円輪の中心まわりにスクリーンＡ２０１、スクリーンＢ２０２、スクリーンＣ２０３が回動する。スクリーンＡ２０１、スクリーンＢ２０２、スクリーンＣ２０３は例えば、図３で破線で示すように互いに鋭角な角度配置から、円弧矢印で示すように回動させて実線で示すように２つのスクリーンを並行な角度配置にしたりすることができる。
【００２０】
上方からみるとスクリーンＡ２０１、スクリーンＢ２０２、スクリーンＣ２０３の上部はリングユニット１００の円輪内周よりも内側にあり、側方からみるとスクリーンＡ２０１、スクリーンＢ２０２、スクリーンＣ２０３の上部がリングユニット１００の内側にある。
【００２１】
図４は実施形態のパーティションシステム５００のシステムブロック図である。
【００２２】
パーティションシステム５００は、リングユニット１００、リングディスプレイ１０４、プロジェクタ１０５、カメラ１０６、ディスプレイインタフェース１１４，１１５、ＣＰＵ１２０、ＲＯＭ１３０、ＲＡＭ１３１、シリアル通信コントローラ１４０、ネットワークインタフェース１５０、バス１６０、スクリーンＡ２０１、スクリーンＢ２０２、スクリーンＣ２０３、角度センサ２３１，２３２，２３３を備える。
【００２３】
パーティションシステム５００の全体の制御を行うＣＰＵ１２０は、バス１６０を介してＲＯＭ１３０、ＲＡＭ１３１と通信する。
【００２４】
ＲＯＭ１３０は、ＣＰＵ１２０に実行させる、いわゆるファームウェアと呼ばれる基盤プログラムを記憶する。
【００２５】
ＲＡＭ１３１は、いわゆるオペレーティングシステムやアプリケーションプログラムを記憶するいわゆるＲＡＭディスク領域と、ＣＰＵ１２０が動作するための一時的な記憶を行うためのワーキングメモリ領域とを有する。
【００２６】
ディスプレイインタフェース１１４がリングユニット１００のリングディスプレイ１０４の表示を制御する。リングディスプレイ１０４に表示される画像の情報はディスプレイインタフェース１１４が有するビデオメモリに展開される。リングディスプレイ１０４に表示される画像の情報をＲＡＭ１３１に展開する構成としてもよい。
【００２７】
ディスプレイインタフェース１１４はバス１６０を介してＣＰＵ１２０と通信する。
【００２８】
ディスプレイインタフェース１１５がリングユニット１００のプロジェクタ１０５の投影を制御する。プロジェクタが投影する画像の情報はディスプレイインタフェース１１５が有するビデオメモリに展開される。リングディスプレイ１０５に表示される画像の情報をＲＡＭ１３１に展開する構成としてもよい。
【００２９】
ディスプレイインタフェース１１５はバス１６０を介してＣＰＵ１２０と通信する。
【００３０】
シリアル通信コントローラ１４０は、いわゆるホストバスアダプタとしてバス１６０を介してＣＰＵ１２０と通信する。
【００３１】
カメラ１０６が撮像する画像の情報はシリアル通信コントローラ１４０を介してＲＡＭ１３１に記憶される。
【００３２】
角度センサ２３１は、回転支柱２１０まわりで回動するスクリーンＡ２０１の回動中心を原点とした座標系における角度配置を検出する。
【００３３】
角度センサ２３２は、回転支柱２１０まわりで回動するスクリーンＢ２０２の回動中心を原点とした座標系における角度配置を検出する。
【００３４】
角度センサ２３３は、回転支柱２１０まわりで回動するスクリーンＣ２０３の回動中心を原点とした座標系における角度配置を検出する。
【００３５】
ネットワークインタフェース１５０は、インターネットやローカルエリアネットワークに接続するためのコンピュータネットワークインタフェースである。ネットワークインタフェース１５０はバス１６０を介してＣＰＵ１２０と通信する。
【００３６】
図５は、実施形態としてのパーティションシステム５００の使用態様の一例を示す図である。
【００３７】
スクリーンＡ２０１、スクリーンＢ２０２、スクリーンＣ２０３はパーティションとして３つの会議スペースを区切る役割を担う。
【００３８】
スクリーンＡ２０１のおもて面２０１１とスクリーンＣ２０３のうら面２０３２が、図５紙面奥側の会議スペースに面する。
【００３９】
スクリーンＡ２０２のおもて面２０２１とスクリーンＣ２０１のうら面２０１２が、図５紙面手前の会議スペースに面する。
【００４０】
スクリーンＡ２０３のおもて面２０３１とスクリーンＣ２０２のうら面２０２２が、図５紙面左側の会議スペースに面する。
【００４１】
スクリーンＡ２０１、スクリーンＢ２０２、スクリーンＣ２０３を回転支柱２１０まわりで回動させて互いの相対角度を変えることによって、３つの会議スペースの広さを変えることができる。
【００４２】
また、室内に差し込む日差しの影響を考慮するとか、会議内容を見せたくない方向を考慮するとか、様々な都合に応じて会議スペースの位置や方向を変えることができる。
【００４３】
各会議スペースは、図５紙面手前の会議スペースに立たせた人６１１と人６１２のように、立って会議を行うスタイルで利用させてもよい。また、図５紙面左側の会議スペースの左側に並べた椅子６０１、椅子６０２、椅子６０３、椅子６０４に座って会議を行うスタイルで利用させてもよい。
【００４４】
リングディスプレイ１０４は、リングユニット１００の円輪外周に、現在利用中である表示や、将来の利用予定などを表示する。
【００４５】
現在利用中である表示や将来の利用予定などの表示には、図５に「１３：３０〜１４：４０  総務  田中」と例示したように、利用時間帯や利用者名の情報を含めてもよいし、会議タイトル等も含めてもよい。また、現在利用中である表示や将来の利用予定などの表示には、図５リングユニット１００の円輪外周に沿った円弧矢印として例示したように、利用中や利用予定の会議スペースの角度範囲の情報を含めてもよい。
【００４６】
上方からみるとリングユニット１００が形成する円輪の中心まわりにスクリーンＡ２０１、スクリーンＢ２０２、スクリーンＣ２０３が回動するから、現在利用中である表示や将来の利用予定などの表示とその表示に対応する会議スペースとの対応関係がわかりやすい。
【００４７】
上方からみるとスクリーンＡ２０１、スクリーンＢ２０２、スクリーンＣ２０３の上部はリングユニット１００の円輪内周よりも内側にあり、側方からみるとスクリーンＡ２０１、スクリーンＢ２０２、スクリーンＣ２０３の上部がリングユニット１００の内側にあるので、現在利用中である表示や将来の利用予定などの表示とその表示に対応する会議スペースとの対応関係がさらにわかりやすい。
【００４８】
リングユニット１００の円輪内周からカメラ１０６が、図５紙面奥側の会議スペースに面するスクリーンＡ２０１のおもて面２０１１とスクリーンＣ２０３のうら面２０３２を、撮像する。撮像して得る画像を電子ファイルとしてＲＡＭ１３１が記憶する。ネットワークインタフェース１５０を介してコンピュータネットワークインタフェースの向こう側のリモートコンピュータへ電子ファイルを提供することによって、スクリーンＡ２０１、スクリーンＢ２０２、スクリーンＣ２０３に書かれた文字や絵を議事録として利用することができる。
【００４９】
カメラ１０６が撮像して得る画像そのものは、カメラ１０６とスクリーンＡ２０１のおもて面２０１１とが相対角を有してしまう場合は歪む。しかし、角度センサ２３１が検出するスクリーンＡ２０１の角度配置に基づいてＣＰＵ１２０が補正した画像にすることができる。ＲＡＭ１３１が記憶する電子ファイルは補正した画像にしてもよい。
【００５０】
リングユニット１００の円輪内周からプロジェクタ１０５が、図５紙面奥側の会議スペースに面するスクリーンＡ２０１のおもて面２０１１とスクリーンＣ２０３のうら面２０３２との両方ともあるいは一方に画像を投影する。
【００５１】
投影する画像は、ＲＡＭ１３１に記憶された情報に基づく画像や、ネットワークインタフェース１５０を介してコンピュータネットワークインタフェースの向こう側のリモートコンピュータから送信される情報に基づく画像である。また、そのような画像に、カメラ１０６が撮像して得る画像をオーバレイした画像を投影することもできる。
【００５２】
スクリーンＡ２０１、スクリーンＢ２０２、スクリーンＣ２０３の面と指や指し棒やレーザポインタ光などの位置指示オブジェクトとの相対位置をカメラ１０６で撮像した画像から検出する構成としてもよい。検出した相対位置に対応する、投影する画像のなかの位置にポインタオブジェクトをオーバレイした画像を、プロジェクタ１０５が投影するよう構成してもよい。
【００５３】
検出した相対位置の変化に対応させてプロジェクタ１０５が投影する画像を拡大縮小させたり移動させたりするよう構成してもよい。
【００５４】
プロジェクタ１０５が投影する画像は、プロジェクタ１０５とスクリーンＡ２０１のおもて面２０１１とが相対角を有してしまうと歪む場合がある。しかし、角度センサ２３１が検出するスクリーンＡ２０１の角度配置に基づいてＣＰＵ１２０が補正した画像をプロジェクタに投影させて、スクリーンＡ２０１のおもて面２０１１に投影される画像を人が見るときには歪みが軽減された状態にすることができる。
【００５５】
リングユニット１００の円輪内周にカメラ１０６を複数設けて会議スペースそれぞれで同時に利用できるよう構成してもよい。
【００５６】
リングユニット１００の円輪内周にカメラ１０６を円周方向に移動可能に設置して、各会議スペースで融通して利用できるよう構成してもよい。
【００５７】
リングユニット１００の円輪内周にプロジェクタ１０５を複数設けて会議スペースそれぞれで同時に利用できるよう構成してもよい。
【００５８】
リングユニット１００の円輪内周にプロジェクタ１０５を円周方向に移動可能に設置して、各会議スペースで融通して利用できるよう構成してもよい。
【００５９】
リングユニット１００自体を回転支柱２１０まわりに回動可能に支持して、プロジェクタ１０５やカメラ１０６を各会議スペースで融通しあって利用できるよう構成してもよい。
【００６０】
角度センサ２３１，２３２，２３３が検出する角度配置に基づいて、プロジェクタ１０５が面していて画像を投影する面がどのスクリーンのどの面なのかを特定して画像を切り替えることができる。
【００６１】
例えば、プロジェクタ１０５が面している面が、リングディスプレイ１０４が表示している利用中や利用予定の会議スペースの角度範囲のそとまでひらいてしまっている場合に、プロジェクタ１０５が投影する画像に「スクリーンの角度を狭めてください」といったサインをオーバレイすることができる。
【００６２】
例えば、プロジェクタ１０５が面している面の、リングディスプレイ１０４が表示している利用予定の時刻を過ぎてしまった場合に、プロジェクタ１０５が投影する画像に「終了時刻が過ぎました」といったサインをオーバレイすることができる。
【００６３】
例えば、プロジェクタ１０５が面している面へ、リングディスプレイ１０４が表示している利用中や利用予定の会議スペースの角度範囲の利用者が予め設定した画像を表示させたり、プロジェクタ１０５をリングユニット１００の円周方向に移動してリングディスプレイ１０４が表示している利用中や利用予定の会議スペースの角度範囲のそとのスクリーンに投影する位置関係となった場合はその画像を投影しないようにしたりといった切り替えをすることができる。
【００６４】
角度センサ２３１，２３２，２３３が検出する角度配置に基づいて、カメラ１０６が面していて画像を撮像する面がどのスクリーンのどの面なのかを特定し、特定した面に応じて、カメラ１０６が撮像して得る画像の電子ファイルに施す処理を切り替えることができる。
【００６５】
例えば、カメラ１０６が面している面が、リングディスプレイ１０４が表示している利用中や利用予定の会議スペースの角度範囲のなかにある面である場合に、電子ファイルの名前に利用時間帯や利用者名の情報を含めたり、利用者のアカウントがあるリモートコンピュータへ電子ファイルを送信したりすることができる。
【００６６】
図６は変形例としての実施形態のパーティションシステム５００のシステムブロック図である。
【００６７】
スクリーンＡ２０１、スクリーンＢ２０２、スクリーンＣ２０３のそれぞれのおもてうらそれぞれの面にタッチセンサを配した構成してもよい。すなわち、
スクリーンＡ２０１は、
おもて面２０１１の相対的なタッチ位置を検出するタッチセンサ２２１Ｆと、
うら面２０１２の相対的なタッチ位置を検出するタッチセンサ２２１Ｒとを備える構成としてもよい。
【００６８】
スクリーンＢ２０２は、
おもて面２０２１の相対的なタッチ位置を検出するタッチセンサ２２２Ｆと、
うら面２０２２の相対的なタッチ位置を検出するタッチセンサ２２２Ｒとを備える構成してもよい。
【００６９】
スクリーンＣ２０３は、
おもて面２０３１の相対的なタッチ位置を検出するタッチセンサ２２３Ｆと、
うら面２０３２の相対的なタッチ位置を検出するタッチセンサ２２３Ｒとを備える構成してもよい。
【００７０】
スクリーンＡ２０１のタッチセンサ２２１Ｆから入力される、スクリーンＡ２０１のおもて面２０１１に対するタッチセンサ２２１Ｆの相対的なタッチ位置の情報は、シリアル通信コントローラ１４０を介してＣＰＵ１２０に提供される。
【００７１】
スクリーンＡ２０１のタッチセンサ２２１Ｒから入力される、スクリーンＡ２０１のうら面２０１２に対するタッチセンサ２２１Ｒの相対的なタッチ位置の情報は、シリアル通信コントローラ１４０を介してＣＰＵ１２０に提供される。
【００７２】
スクリーンＢ２０２のタッチセンサ２２２Ｆから入力される、スクリーンＡ２０２のおもて面２０２１に対するタッチセンサ２２２Ｆの相対的なタッチ位置の情報は、シリアル通信コントローラ１４０を介してＣＰＵ１２０に提供される。
【００７３】
スクリーンＢ２０２のタッチセンサ２２２Ｒから入力される、スクリーンＢ２０２のうら面２０２２に対するタッチセンサ２２２Ｒの相対的なタッチ位置の情報は、シリアル通信コントローラ１４０を介してＣＰＵ１２０に提供される。
【００７４】
スクリーンＣ２０３のタッチセンサ２２３Ｆから入力される、スクリーンＣ２０３のおもて面２０３１に対するタッチセンサ２２３Ｆの相対的なタッチ位置の情報は、シリアル通信コントローラ１４０を介してＣＰＵ１２０に提供される。
【００７５】
スクリーンＣ２０３のタッチセンサ２２３Ｒから入力される、スクリーンＣ２０３のうら面２０３２に対するタッチセンサ２２３Ｒの相対的なタッチ位置の情報は、シリアル通信コントローラ１４０を介してＣＰＵ１２０に提供される。
【００７６】
スクリーンＡ２０１、スクリーンＢ２０２、スクリーンＣ２０３の面に投影する画像のなかの、各タッチセンサが提供する相対位置に対応する位置に、ポインタオブジェクトをオーバレイした画像を、プロジェクタ１０５が投影するよう構成してもよい。
【００７７】
各タッチセンサが提供する相対位置の変化に対応させてプロジェクタ１０５が投影する画像を拡大縮小させたり移動させたりするよう構成してもよい。
【００７８】
また、各タッチセンサが提供する相対位置の情報を、ネットワークインタフェース１５０を介してコンピュータネットワークインタフェースの向こう側のリモートコンピュータへ提供するよう構成してもよい。各タッチセンサが提供する相対位置の情報をリモートコンピュータへ提供し、プロジェクタ１０５に画像を投影させることによって、いわゆるシンクライアントとしてパーティションシステム５００を機能させることも可能となる。
【００７９】
図７は他の変形例としての実施形態のパーティションシステム５００のシステムブロック図である。
【００８０】
スクリーンＡ２０１は、おもて面２０１１方向に発光するディスプレイ２１１Ｆと、うら面２０１２方向に発光するディスプレイ２１１Ｒとを備えて、おもて面２０１１側とうら面２０１２側とのそれぞれ画像を表示するよう構成してもよい。
【００８１】
スクリーンＢ２０２は、おもて面２０２１方向に発光するディスプレイ２１２Ｆと、うら面２０２２方向に発光するディスプレイ２１２Ｒとを備えて、おもて面２０２１側とうら面２０２２側とのそれぞれ画像を表示するよう構成してもよい。
【００８２】
スクリーンＣ２０３は、おもて面２０３１方向に発光するディスプレイ２１３Ｆと、うら面２０３２方向に発光するディスプレイ２１３Ｒとを備えて、おもて面２０３１側とうら面２０３２側とのそれぞれ画像を表示するよう構成してもよい。
【００８３】
ディスプレイ２１１Ｆとタッチセンサ２２１Ｆとがタッチパネル２０１Ｆを構成する。
【００８４】
ディスプレイ２１１Ｒとタッチセンサ２２１Ｒとがタッチパネル２０１Ｒを構成する。
【００８５】
ディスプレイ２１２Ｆとタッチセンサ２２２Ｆとがタッチパネル２０２Ｆを構成する。
【００８６】
ディスプレイ２１２Ｒとタッチセンサ２２２Ｒとがタッチパネル２０２Ｒを構成する。
【００８７】
ディスプレイ２１３Ｆとタッチセンサ２２３Ｆとがタッチパネル２０３Ｆを構成する。
【００８８】
ディスプレイ２１３Ｒとタッチセンサ２２３Ｒとがタッチパネル２０３Ｒを構成する。
【００８９】
ディスプレイインタフェース１１１Ｆがディスプレイ２１１Ｆの表示を制御する。ディスプレイ２１１Ｆに表示される画像の情報はディスプレイインタフェース１１１Ｆが有するビデオメモリに展開される。ディスプレイ２１１Ｆに表示される画像の情報をＲＡＭ１３１に展開する構成としてもよい。
【００９０】
ディスプレイインタフェース１１１Ｆはバス１６０を介してＣＰＵ１２０と通信する。
【００９１】
ディスプレイインタフェース１１１Ｒがディスプレイ２１１Ｒの表示を制御する。ディスプレイ２１１Ｒに表示される画像の情報はディスプレイインタフェース１１１Ｒが有するビデオメモリに展開される。ディスプレイ２１１Ｒに表示される画像の情報をＲＡＭ１３１に展開する構成としてもよい。
【００９２】
ディスプレイインタフェース１１１Ｒはバス１６０を介してＣＰＵ１２０と通信する。
【００９３】
ディスプレイインタフェース１１２Ｆがディスプレイ２１２Ｆの表示を制御する。ディスプレイ２１２Ｆに表示される画像の情報はディスプレイインタフェース１１２Ｆが有するビデオメモリに展開される。ディスプレイ２１２Ｆに表示される画像の情報をＲＡＭ１３１に展開する構成としてもよい。
【００９４】
ディスプレイインタフェース１１２Ｆはバス１６０を介してＣＰＵ１２０と通信する。
【００９５】
ディスプレイインタフェース１１２Ｒがディスプレイ２１２Ｒの表示を制御する。ディスプレイ２１２Ｒに表示される画像の情報はディスプレイインタフェース１１２Ｒが有するビデオメモリに展開される。ディスプレイ２１２Ｒに表示される画像の情報をＲＡＭ１３１に展開する構成としてもよい。
【００９６】
ディスプレイインタフェース１１２Ｒはバス１６０を介してＣＰＵ１２０と通信する。
【００９７】
ディスプレイインタフェース１１３Ｆがディスプレイ２１３Ｆの表示を制御する。ディスプレイ２１３Ｆに表示される画像の情報はディスプレイインタフェース１１３Ｆが有するビデオメモリに展開される。ディスプレイ２１３Ｆに表示される画像の情報をＲＡＭ１３１に展開する構成としてもよい。
【００９８】
ディスプレイインタフェース１１３Ｆはバス１６０を介してＣＰＵ１２０と通信する。
【００９９】
ディスプレイインタフェース１１３Ｒがディスプレイ２１３Ｒの表示を制御する。ディスプレイ２１３Ｒに表示される画像の情報はディスプレイインタフェース１１３Ｒが有するビデオメモリに展開される。ディスプレイ２１３Ｒに表示される画像の情報をＲＡＭ１３１に展開する構成としてもよい。
【０１００】
ディスプレイインタフェース１１３Ｒはバス１６０を介してＣＰＵ１２０と通信する。
【０１０１】
スクリーンＡ２０１、スクリーンＢ２０２、スクリーンＣ２０３のそれぞれの面を対のディスプレイとしてあるいは連続する１つのディスプレイとして利用してもよい。
【０１０２】
例えば、図５紙面奥側の会議スペースに面するスクリーンＡ２０１のおもて面２０１１のディスプレイ２１１ＦとスクリーンＣ２０３のうら面２０３２のディスプレイ２１３Ｒとを、オペレーティングシステムの２つのインスタンスのそれぞれのデスクトップとして、２画面２ワークスペースとして利用してもよい。
【０１０３】
例えば、図５紙面奥側の会議スペースに面するスクリーンＡ２０１のおもて面２０１１のディスプレイ２１１ＦとスクリーンＣ２０３のうら面２０３２のディスプレイ２１３Ｒとを、オペレーティングシステムの１つのインスタンスの拡張デスクトップ機能で、２画面１ワークスペースとして利用してもよい。
【０１０４】
例えば、図５紙面奥側の会議スペースに面するスクリーンＡ２０１のおもて面２０１１のディスプレイ２１１ＦとスクリーンＣ２０３のうら面２０３２のディスプレイ２１３Ｒとを、オペレーティングシステムの１つのインスタンスのデスクトップとして１画面１ワークスペースとして利用してもよい。
【０１０５】
角度センサ２３１，２３２，２３３が検出する角度配置に基づいて、各ディスプレイに表示する画像を切り替えることができる。
【０１０６】
例えば、リングディスプレイ１０４が表示している利用予定の時刻を過ぎてしまった場合に、利用中や利用予定の会議スペースの角度範囲のなかにあるディスプレイに「終了時刻が過ぎました」といったサインをオーバレイした画像を表示することができる。
【０１０７】
例えば、リングディスプレイ１０４が表示している利用中や利用予定の会議スペースの角度範囲の利用者が予め設定した画像を、その角度範囲のなかにあるディスプレイに表示させたり、スクリーンの角度が回動してその角度範囲のそとに出た場合はそとに出たディスプレイに表示させないようにしたりといった切り替えをすることができる。
【０１０８】
例えば、スクリーンＡ２０１のおもて面２０１１とスクリーンＣ２０３のうら面２０３２とが並行になるような角度配置にある場合にはディスプレイ２１１Ｆとディスプレイ２１３Ｒとを連続する１画面として画像を表示し、並行でない角度配置にある場合にはディスプレイ２１１Ｆとディスプレイ２１３Ｒとをそれぞれ独立した２画面として独立した画像を表示するよう構成してもよい。
【０１０９】
各実施形態は、装置内部のプログラム記憶部であるＲＯＭやＲＡＭに発明の機能を実現させるプログラムが予め記録されているものとしたが、これに限らず、同様のプログラムがコンピュータネットワークから装置にダウンロードされてもよい。あるいは、記録媒体に記録された同様のプログラムが、装置にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のファームウェアやオペレーティングシステム等と協働してその機能を実現させるものであってもよい。
【０１１０】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１１】
１００・・・リングユニット、１０１・・・支柱、１０４・・・リングディスプレイ、１０５・・・プロジェクタ、１０６・・・カメラ、１１１Ｆ，１１１Ｒ，１１２Ｆ，１１２Ｒ，１１３Ｆ，１１３Ｒ，１１４，１１５・・・ディスプレイインタフェース、１２０・・・ＣＰＵ、１３０・・・ＲＯＭ、１３１・・・ＲＡＭ、１４０・・・シリアル通信コントローラ、１５０・・・ネットワークインタフェース、１６０・・・バス、２０１・・・スクリーンＡ、２０２・・・スクリーンＢ、２０３・・・スクリーンＣ、２０１Ｆ，２０１Ｒ，２０２Ｆ，２０２Ｒ，２０３Ｆ，２０３Ｒ・・・タッチパネル、２１０・・・回転支柱、２１１Ｆ，２１１Ｒ，２１２Ｆ，２１２Ｒ，２１３Ｆ，２１３Ｒ・・・ディスプレイ、２２０・・・脚板、２２１Ｆ，２２１Ｒ，２２２Ｆ，２２２Ｒ，２２３Ｆ，２２３Ｒ・・・タッチセンサ、２３１，２３２，２３３・・・角度センサ、５００・・・パーティションシステム、６０１，６０２，６０３，６０４・・・椅子、６１１，６１２・・・人、６２１・・・室内天井、６２２・・・室内床。
【図１】
2018084045.tif 000003
【図２】
2018084045.tif 000004
【図３】
2018084045.tif 000005
【図４】
2018084045.tif 000006
【図５】
2018084045.tif 000007
【図６】
2018084045.tif 000008
【図７】
2018084045.tif 000009